(57)【特許請求の範囲】
【請求項１】
口部と、容器口部に嵌着された中栓と、容器口部に螺着されたヒンジキャップと、ヒンジキャップに取着された塗布部材とを備えた塗布用具であって、
中栓は、透孔を穿孔した底壁と有頂の内筒とを具備しており、
ヒンジキャップは、上壁に注出筒を立設し、中栓の内筒と係合する流路開閉リングを垂設したキャップ基体と、頂壁に注出筒に係合する連通筒を垂設し、塗布部材のための取付部材を立設した開閉蓋とを具備しており、
中栓の内筒とヒンジキャップのキャップ基体の流路開閉リングとの係合による流通路の開閉部、およびヒンジキャップのキャップ基体の注出筒とヒンジキャップの開閉蓋の連通筒との係合による流通路の開閉部の二つの開閉部を具備しており、
塗布部材は、塗布ボールと、該塗布ボールを抱持し下端に開口を穿孔した抱持壁と該抱持壁の外周中間部から開閉蓋の取付部材に係合する係合部材を垂設した抱持体とを具備していることを特徴とする塗布用具。
【請求項２】
容器口部の下部と、肩部との間に対称的に位置する一対のストッパーを設け、ヒンジキャップのキャップ基体の側周壁下端にストッパーに係合する位置合わせリブを設けたことを特徴とする請求項１記載の塗布用具。
【発明の詳細な説明】
【０００１】
【発明の属する技術分野】
本発明は、塗布用具、とくに塗布ボールを具えた塗布用具に関する。
【０００２】
【従来の技術】
塗布用ボールを具えた塗布部材を容器口部に取着した化粧料や薬剤等の塗布用具は、従来より知られている（例えば、実開平７−４０５２０号公報参照）。
【０００３】
【発明が解決しようとする課題】
上記従来の塗布用具は、塗布用ボールを被塗布面に当てて塗布用具を移動させて塗布するようにしていた。
そのため、限られた比較的狭い範囲の被塗布面に塗布するためには好適であるが、広い範囲に塗布する場合には、塗布用具を何度も往復させなければならず、時間がかかり面倒でもあった。
また、被塗布面が湾曲面であると、塗布用具の取扱い操作がうまくできないときもあるという問題があった。
【０００４】
広い範囲に塗布するため、容器口部から塗布部材を取り外し、容器から必要量の塗布物を直接手のひらや布面上に注出して被塗布面に塗布することが考えられるが、塗布物を必要量だけ注出することが困難であるという問題があった。
【０００５】
また、使用前にオーバーキャップを外し塗布ボールを露出した塗布用具を、不用意に倒したり、手から落としたりした場合に、塗布ボールが不要な場所に接触し、塗布物で汚すという問題があった。
【０００６】
また、限られた狭い範囲とともに必要に応じて広範囲に塗布することができるように、スポンジ等の多孔性物からなる塗布面を有する塗布具と、噴霧器とを備えた噴霧兼用塗布容器も知られているが、塗布面が多孔性の球状体によって形成されているため、粉体や粘性液の塗布には採用できないという問題があった。
【０００７】
本発明は、上記問題を解決することを課題として、液体だけでなく、クリーム状液、粉体の化粧料や薬剤等の塗布物を、限られた狭い範囲とともに必要に応じて多量の塗布物を広い範囲にも塗布できるようにし、その切り替えも容易にできるようにするとともに、使用前に塗布物が不用意に塗布されないようにした塗布用具を提供することを目的とする。
【０００８】
【課題を解決するための手段】
本発明は、上記の課題を解決するため、塗布用具として、口部と、容器口部に嵌着された中栓と、容器口部に螺着されたヒンジキャップと、ヒンジキャップに取着された塗布部材とを備えた塗布用具であって、中栓は、透孔を穿孔した底壁と有頂の内筒とを具備しており、ヒンジキャップは、上壁に注出筒を立設し、中栓の内筒と係合する流路開閉リングを垂設したキャップ基体と、頂壁に注出筒に係合する連通筒を垂設し、塗布部材のための取付部材を立設した開閉蓋とを具備しており、中栓の内筒とヒンジキャップのキャップ基体の流路開閉リングとの係合による流通路の開閉部、およびヒンジキャップのキャップ基体の注出筒とヒンジキャップの開閉蓋の連通筒との係合による流通路の開閉部の二つの開閉部を具備しており、塗布部材は、塗布ボールと、該塗布ボールを抱持し下端に開口を穿孔した抱持壁と該抱持壁の外周中間部から開閉蓋の取付部材に係合する係合部材を垂設した抱持体とを具備していることを特徴とする構成を採用する。
【０００９】
流路開閉の操作位置を正確にするために、容器口部の下部と、肩部との間に対称的に位置する一対のストッパーを設け、ヒンジキャップのキャップ基体の側周壁下端にストッパーに係合する位置合わせリブを設けたことを特徴とする構成を採用する。
【００１０】
【発明の実施の形態】
次に、本発明の実施形態について、図面を参照して説明する。
図１において、Ａは容器、Ｂは中栓、Ｃはヒンジキャップ、Ｄはヒンジキャップに取着された塗布部材、Ｅはオーバーキャップである。
【００１１】
図１，２に示すように、容器Ａは、口部１と細巾の肩部２、胴部３と底部４とからなっており、口部１は胴部３に対して傾斜させるよう双方の中心線を交差させている。
容器Ａには、内容物として、化粧料、薬剤などの液体、クリーム状液、粉体の塗布物が収納されている。
口部１は、上端に係合突条５を設けた係合部６とその下方の拡径された拡径部７とからなり、拡径部７には、二重ねじ８と一対のストッパー９ａ，９ｂが設けられている。
【００１２】
図３に示すように、中栓Ｂは、頂壁１０を有する内筒１１と口部係合部６の内周に嵌合する嵌合筒部１２とを具えている。
内筒１１と嵌合筒部１２の下端は、底壁１３によって連結されており、底壁１３には、複数の弧状の透孔１４が穿孔され、流通路が形成されている。
【００１３】
嵌合筒部１２は、底壁１３に連設され、係合部６の内周に嵌合する内周壁１５と上壁１６、および上壁１６の周縁より垂設された側周壁１７とからなっており、側周壁１７の内周下端には、係合突条５の下側に係合する嵌合突条１８が設けられており、嵌合筒部１２によって容器口部１と中栓Ｂとの間が密封されている。
【００１４】
図４に示すように、ヒンジキャップＣは、キャップ基体２０と、該キャップ基体２０に蝶番機構２１を介して取着された開閉蓋２２とからなっており、キャップ基体２０は、上壁２３と側周壁２４を具えている。
上壁２３の中央部には、注出口２５を穿孔した注出筒２６が立設されており、注出口２５の周縁に沿って、流路開閉リング２７が垂設されている。
【００１５】
該流路開閉リング２７は、ヒンジキャップＣが下降位置にある場合には、図１に示すように、中栓Ｂの内筒１１の外周に係合して中栓Ｂの透孔１４と注出口２５との連通を遮断し、上昇位置にある場合には、図６に示すように、内筒１１との係合が外れ、流路を形成するようになっている。
流路開閉リング２７の外側には、密封リング２８が垂設されており、中栓Ｂの嵌合筒部１２の内周に係合し、流路を密封し、塗布物の漏れ出しを防いでいる。
【００１６】
側周壁２４の上端周縁には段部２９が設けられ、下部は拡径され、拡径部３０が設けられている。
側周壁２４の上端の所定位置には、切込み３１が設けられ、切込み３１の下端には押え片３２が連設されている。
押え片３２を挟んで、その両側に蝶番３３が設けられ、押え片３２とともに蝶番機構２１が構成され、それぞれの他端は、開閉蓋２２に連続されており、蝶番機構２１の反対側には、凹み３４が設けられている。
【００１７】
側周壁２４の内周には、口部１の二重ねじ８に螺合する二重ねじ３５が螺設されており、その下方の拡径部３０には、蝶番機構２１と凹み３４に対応する位置に、一対の位置合わせリブ３６ａ，３６ｂが突設されている。
【００１８】
開閉蓋２２は、頂壁３７と側周壁３８とを具えており、頂壁３７の中央には、キャップ基体２０の注出筒２６の内周に係合する連通筒３９が垂設されており、その上端は、頂壁３７上面より突出して突出縁４０となっている。
【００１９】
頂壁３７の径方向中間部には、上端外周に膨出部４１を設けた取付リング４２が立設されている。
該取付リング４２の外側の頂壁３７の所定の位置には、キャップ基体２０の側周壁２４の切込み３１に対応する径方向に延びる切欠部４３を頂壁３７から側周壁３８を通じて設けられており、切欠部４３の始端部には、蝶番機構２１の押え片３２の一端が接続されている。
側周壁２４の下端には、切欠部４３の両側に蝶番３３の一端が接続されており、蝶番機構２１の反対側の下端には、つまみ片４４が設けられている。
【００２０】
図５に示すように、塗布部材Ｄは、塗布ボール５０と、該塗布ボール５０を抱持する抱持体５１とからなっており、塗布ボール５０の表面全体には、凹凸或いは凹条が刻設されている。
抱持体５１は、中央下端に開口５２を穿孔した抱持壁５３を具えており、開口５２の内径は、開閉蓋２２の連通筒３９の内径と同径であり、開口５２の内周上端には、突出縁５４が設けられており、塗布ボール５０は、突出縁５４と抱持壁５３の上端内周縁５５によって回転自在に抱持されている。
【００２１】
抱持壁５３の下面には、開口５２に沿って突出リング５６が垂設され、その外側には、開閉蓋２２頂壁３７の取付リング４２の内周に係合する係合筒５７が垂設されている。
抱持壁５３の中間部外周は円筒部となっており、円筒部の下端には凹条５８が刻設され、その下端には、外方に突出し、その周縁に係合リング５９を垂設した環状板６０が突設されており、係合リング５９の内周下端には、開閉蓋２２の取付リング４２の下側に係合する膨出環６１が設けられている。
係合筒５７と係合リング５９が開閉蓋２２の取付リング４２を内外より挟持するよう嵌合し、抱持体５１がヒンジキャップＣに取着される。
【００２２】
オーバーキャップＥは、図１に示すように、頂壁６５と側周壁６６とからなり、側周壁６６の下端には、塗布部材Ｄの凹条５８に係合する膨出環６７が設けられている。
【００２３】
次に、本発明塗布用具の使用態様と作用効果について説明する。
塗布物の充填後、中栓Ｂを口部１に打栓により嵌着する。
次いで、塗布部材Ｄを取着したヒンジキャップＣにオーバーキャップＥを被嵌し、該ヒンジキャップＣを口部１に螺合することによって、塗布用具が形成される。
【００２４】
螺合にあたって、ヒンジキャップＣが最下降位置の半回転手前に達すると、ヒンジキャップＣの位置合わせリブ３６ａ，３６ｂが口部１のストッパー９ａ，９ｂを乗り越えて廻動され、最下降位置で位置合わせリブ３６ａ，３６ｂは、口部１のストッパー９ｂ，９ａに係合して、その位置を保つ。
その際、ヒンジキャップＣの流路開閉リング２７が、中栓Ｂの内筒１１外周に係合し、塗布物の流路は遮断されている。
【００２５】
使用にあたって、まず、図６に示すように、ヒンジキャップＣを１８０゜廻すと、ヒンジキャップＣが１ピッチ上昇し、位置合わせリブ３６ａ，３６ｂが口部１の反対側のストッパー９ａ，９ｂに係合し、蝶番機構２１が、上壁１６面で最上位置にくるようにされている。
その際、流路開閉リング２７が内筒１１から離れ、中栓ＢとヒンジキャップＣとのロック状態が解かれ、容器Ａ内部から塗布部材Ｄの開口５２までの流路が形成される。
【００２６】
限られた狭い範囲に塗布するときには、オーバーキャップＥを開き、図７に示すように、容器Ａを倒立させて塗布ボール５０を所望の被塗布面ｐに押しつけ、塗布用具を動かしていくと、塗布ボール５０が回転して、連通筒３９を通じて抱持体５１の開口５２に落下した塗布物は、開口５２の突出縁５４に抑えられ、塗布ボール５０の凹部に付着して抱持壁５３内を移動する。
【００２７】
塗布ボール５０の回転に伴なって、塗布物を付着した塗布ボール５０面が抱持壁５３の上端内周縁５５より離れ、被塗布面ｐに接触すると、付着した塗布物が凹部より被塗布面ｐに移動し、塗布されることになる。
かくして塗布物を所望の範囲に塗布することができる。
【００２８】
塗布物を多量に使用して広い範囲に塗布するときには、ヒンジキャップＣのつまみ片４４をつかんで開閉蓋２２を開くと、連通筒３９が廻動されて、注出筒２６の注出口２５が露出され、図８に示すように、容器Ａを傾けると、注出口２５より塗布物が注出される。
塗布物を直接被塗布面に散布するか、手のひら、布面に取り上げ、所要の被塗布面に塗布することによって、多量の塗布物を広い範囲にわたって塗布することができる。
【００２９】
塗布後には、ヒンジキャップＣの開閉蓋２２を閉じ、オーバーキャップＥを被蓋すると、容器Ａ内に残った塗布物をそのまま保管しておくことができる。
【００３０】
【発明の効果】
本発明は、上記のように構成されているから、次の効果を奏する。
塗布ボールを具えた塗布部材を、注出筒と取付リングを具えたヒンジキャップに取着し、ヒンジキャップを開閉することにより、塗布ボールを介しての塗布と、注出筒を通じての塗布物の注出とができるようにしたから、限られた狭い範囲の塗布と、広範囲にわたる塗布のいずれでもできるようになった。
【００３１】
塗布部材をヒンジキャップの開閉蓋に取着するようにしているから、塗布ボールを介しての塗布とキャップの注出筒を通じての注出との切替えは、ヒンジキャップを開閉するだけで切替操作が簡単にできる。
【００３２】
キャツプ基体に流路開閉リングを設けたヒンジキャップを容器口部に螺着させ、ヒンジキャップを廻動させ上下動することによって、流路開閉リングにより流路を閉鎖、開放するようにしたから、流路を閉鎖しておくことによって使用前の塗布物の不用意の塗布を防ぐことができる。
【図面の簡単な説明】
【図１】本発明塗布用具の一部断面正面図である。
【図２】容器口部を示す図で、（ａ）は一部断面正面図、（ｂ）は口部、肩部を示す上面図である。
【図３】中栓を示す図で、（ａ）は上面図、（ｂ）は断面正面図である。
【図４】キャップの断面正面図である。
【図５】  塗布部材の一部断面正面図である。
【図６】  ロック解除時の塗布用具の説明図である。
【図７】  塗布ボールによる塗布時の説明図である。
【図８】  注出時の説明図である。
【符号の説明】
Ａ          容器
Ｂ          中栓
Ｃ          ヒンジキャップ
Ｄ          塗布部材
Ｅ          オーバーキャップ
ｐ          被塗布面
１          口部
２          肩部
３          胴部
４          底部
８、３５    二重ねじ
９ａ，ｂ    ストッパー
１０        頂壁
１１        内筒
１２        嵌合筒部
１３        底壁
１４        透孔
１６        上壁
１７        側周壁
１８        嵌合突条
２０        キャップ基体
２１        蝶番機構
２２        開閉蓋
２３        上壁
２４        側周壁
２５        注出口
２６        注出筒
２７        流路開閉リング
２８        密封リング
２９        段部
３０        拡径部
３１        切込み
３２        押え片
３３        蝶番
３６ａ，ｂ  位置合わせリブ
３７        頂壁
３８        側周壁
３９        連通筒
４２        取付リング
４３        切欠部
５０        塗布ボール
５１        抱持体
５２        開口
５３        抱持壁
５４        突出縁
５５        上端円周縁
５６        突出リング
５７        係合筒
５９        係合リング
６０        環状板
【図１】
0004647127.tif 000002
【図２】
0004647127.tif 000003
【図３】
0004647127.tif 000004
【図４】
0004647127.tif 000005
【図５】
0004647127.tif 000006
【図６】
0004647127.tif 000007
【図７】
0004647127.tif 000008
【図８】
0004647127.tif 000009